(57)【要約】【課題】簡単な構成でありながら、アナログゲージ等の対象物と液晶表示装置とを一体化したように視認させると共に、デザイン的にも優れた液晶表示装置及びこれを用いた車両用表示装置を提供する。【解決手段】液晶セル１３３ｘを２枚の偏光板１３３ｙ、１３３ｚで挟んで構成される液晶表示装置において、液晶表示装置の正面側から該液晶表示装置の背面側に配置した対象物が視認可能になるように、２枚の偏光板に孔１３３ｙ１、１３３ｙ２、１３３ｚ１、１３３ｚ２、を設けている。更に、バックライト用光源１３５からの光を受けて発光するバックライト板１３４を備え、液晶表示装置の正面側から対象物が視認可能になるように、バックライト板１３４にも孔１３４ａ、１３４ｂを設けている。【選択図】図３
2007025026.tif 000002
【特許請求の範囲】
【請求項１】
液晶セルを２枚の偏光板で挟んで構成される液晶表示装置において、
前記液晶表示装置の正面側から該液晶表示装置の背面側に配置した対象物が視認可能になるように、前記２枚の偏光板に孔を設けた、
ことを特徴とする液晶表示装置。
【請求項２】
請求項１記載の液晶表示装置において、
バックライト用光源からの光を受けて発光するバックライト板を更に備え、
前記液晶表示装置の正面側から前記対象物が視認可能になるように、前記バックライト板にも孔を設けた、
ことを特徴とする液晶表示装置。
【請求項３】
請求項１又は請求項２記載の液晶表示装置を用いた車両用表示装置であって、
前記対象物は、
指針により車両に関する所定の計測値を表示するアナログゲージであり、
前記液晶表示装置は、
前記アナログゲージによる表示内容に関連する付加情報を表示する、
ことを特徴とする車両用表示装置。
【請求項４】
請求項３記載の車両用表示装置において、
正面側からみて前記液晶表示装置の両側に、
速度計及びエンジン回転計をそれぞれ配置した、
ことを特徴とする車両用表示装置。
【発明の詳細な説明】
【技術分野】
【０００１】
本発明は、液晶表示装置及びこれを用いた車両用表示装置に関する。
【背景技術】
【０００２】
近年、車両用表示装置として、速度、エンジン回転数、燃料残量、水温等の情報を指針を用いて表示するアナログゲージと、累積走行距離や各種警告等を表示する液晶表示部とが組み合わされた、コンビネーションメータが普及している。図４は、この種の従来の車両用表示装置の外観を示す正面図である。
【０００３】
図４に示すように、正面からみると、従来の車両用表示装置９は、速度計９１及びエンジン回転計９２の間に液晶表示部９３が配置され、更に、速度計９１及びエンジン回転計９２の両側には、燃料計９７及び水温計９８がそれぞれ配置されている。また、液晶表示部９３の左右上方には、ウインカ部９５、９６が配置されている。そして、これらの部分をくり抜くようにして、車両用表示装置９の正面を覆う黒色系の見返し９４が取り付けられている。
【０００４】
速度計９１、エンジン回転計９２、燃料計９７及び水温計９８は周知のように、図示しないムーブメントで回転される指針９１３、９２３、９７３及び９８３によって、各計測値を表示する。ウインカ部９５、９６は、ウインカレバー操作に応じて点滅する。
【０００５】
また、液晶表示部９３には、走行情報や音響、空調等に関する情報の他、各種警告情報も表示される。例えば、液晶表示部９３には、燃料計９７による表示値が残り２０Ｌに到達したときに、その旨を警告するための警告情報９３３が表示される。なお、警告情報９３３は、目立つ色で表示されたり、点滅表示されたりすることもある。
【０００６】
なお、この種の液晶表示部を備えた車両用表示装置は、下記特許文献にも記載されている。
【特許文献１】特開２００３−８３７７５号公報
【発明の開示】
【発明が解決しようとする課題】
【０００７】
ところが、上述のような従来の車両用表示装置によると、ドライバは、ひとつの情報、例えば、燃料残量及びこれに関連する警告を確認するために、車両用表示装置上の分散した複数の部位に目をやる必要がある。このため、ドライバは混乱する可能性がある。
【０００８】
このための解決策としては、例えば、警告情報９３３に関連する燃料計９７と液晶表示部９３とをできるだけ近接させる、好ましくは、両者を一体化すればよいのだが、そうすると非常に構成が複雑化することが予想され、これにともなってコスト高になることも予想される。
【０００９】
よって本発明は、上述した現状に鑑み、簡単な構成でありながら、アナログゲージ等の対象物と液晶表示装置とを一体化したように視認させると共に、デザイン的にも優れた液晶表示装置及びこれを用いた車両用表示装置を提供することを課題としている。
【課題を解決するための手段】
【００１０】
上記課題を解決するためになされた請求項１記載の液晶表示装置は、液晶セルを２枚の偏光板で挟んで構成される液晶表示装置において、前記液晶表示装置の正面側から該液晶表示装置の背面側に配置した対象物が視認可能になるように、前記２枚の偏光板に孔を設けた、ことを特徴とする。
【００１１】
請求項１記載の発明によれば、液晶表示装置の正面側から該液晶表示装置の背面側に配置した対象物が視認可能になるように、２枚の偏光板に孔を設けている。これによって、対象物を液晶表示装置に一体化したように視認させることができる。
【００１２】
上記課題を解決するためになされた請求項２記載の液晶表示装置は、請求項１記載の液晶表示装置において、バックライト用光源からの光を受けて発光するバックライト板を更に備え、前記液晶表示装置の正面側から前記対象物が視認可能になるように、前記バックライト板にも孔を設けた、ことを特徴とする。
【００１３】
請求項２記載の発明によれば、液晶表示装置の正面側から対象物が視認可能になるように、バックライト板にも孔を設けている。
【００１４】
上記課題を解決するためになされた請求項３記載の車両用表示装置は、請求項１又は請求項２記載の液晶表示装置を用いた車両用表示装置であって、前記対象物は、指針により車両に関する所定の計測値を表示するアナログゲージであり、前記液晶表示装置は、前記アナログゲージによる表示内容に関連する付加情報を表示する、ことを特徴とする。
【００１５】
請求項３記載の発明によれば、指針により車両に関する所定の計測値を表示するアナログゲージが液晶表示装置に一体化されたように視認される。また、液晶表示装置には、アナログゲージによる表示内容に関連する付加情報が表示される。これによって、アナログゲージと液晶表示装置とを一体化したように視認させることができる。
【００１６】
上記課題を解決するためになされた請求項４記載の車両用表示装置は、請求項３記載の車両用表示装置において、正面側からみて前記液晶表示装置の両側に、速度計及びエンジン回転計をそれぞれ配置した、ことを特徴とする。
【００１７】
請求項４記載の発明によれば、正面側からみて液晶表示装置の両側には、速度計及びエンジン回転計がそれぞれ配置される。
【発明の効果】
【００１８】
請求項１記載の発明によれば、偏光板に孔を設けただけの簡単な構成でありながら、対象物を液晶表示装置に一体化したように視認させることができる。また、液晶表示装置の正面側からみると、対象物の部分にレイヤ感が生まれてデザイン的にも斬新になる。
【００１９】
請求項２記載の発明によれば、バックライト板にも孔を設けているので、上記効果を有する液晶表示装置の適用範囲を拡張することができる。
【００２０】
請求項３記載の発明によれば、簡単な構成でありながら、アナログゲージと液晶表示装置とを一体化したように視認させると共に、デザイン的にも優れた車両用表示装置を提供することができる。
【００２１】
請求項４記載の発明によれば、簡単な構成でありながら、視認性がよく、デザイン的にも優れたコンビネーションメータを提供することができる。
【発明を実施するための最良の形態】
【００２２】
以下、本発明の実施の形態を図面に基づいて説明する。図１は、本発明の一実施形態に係る車両用表示装置の外観を示す正面図である。なお、この実施形態では、速度、エンジン回転数、燃料残量、水温等を指針を用いて表示するアナログゲージと、累積走行距離や各種警告等を表示する液晶表示部とが組み合わされた、車両用表示装置１としてのコンビネーションメータを例示しつつ説明する。
【００２３】
図１に示すように、正面からみると、この車両用表示装置１は、速度計１１及びエンジン回転計１２の間に情報表示部１３が配置されている。情報表示部１３には、後述するような構成により、燃料計１３１及び水温計１３２によるアナログ表示が各種液晶表示に合成されているように視認される。液晶表示としては、例えば、累積走行距離等の走行情報や、燃料計１３１による指示値が残り２０Ｌに到達したときに、その旨を警告するための警告情報１３３が表示される。情報表示部１３の左右上方には、ウインカ部１５、１６が配置されている。そして、これらの部分をくり抜くようにして、車両用表示装置１の正面を覆う黒色系樹脂製の見返し１４が取り付けられている。
【００２４】
速度計１１、エンジン回転計１２は周知のように、ムーブメントに回転される指針１１３、１２３によって、文字板１１１、１２１に形成された各計測値に対応する意匠１１２、１２２が指示される。また、ウインカ部１５、１６は、ウインカレバー操作に応じて点滅する。なお、車両用表示装置１には、表ガラス、ケース、電子部品、裏カバー等も含まれるが、ここでは省略している。
【００２５】
続いて、図２及び図３を用いて、上記情報表示部１３について説明を加える。図２は、図１の情報表示部を示す正面図である。図３は、図２におけるＸＸ線断面図である。
【００２６】
図２に示すように、情報表示部１３は正面からみると、燃料計１３１及び水温計１３２によるアナログ表示が、指示マーク１３３ａ、警告マーク１３３ｂ、残燃料１３３ｃ、走行可能距離１３３ｄ、累積走行距離１３３ｅ等の各種液晶表示に合成されているように視認される。
【００２７】
燃料計１３１及び水温計１３２は図１にも示すように、ムーブメント１３１ｃ、１３２ｃに回転される指針１３１ｂ、１３２ｂによって、文字板１３１ａ、１３２ａに形成された各残燃料値、水温値に対応する意匠（不図示）が指示される。なお、燃料計１３１及び水温計１３２自体は周知の構成である。
【００２８】
指示マーク１３３ａは、警告マーク１３３ｂや残燃料１３３ｃ、走行可能距離１３３ｄが表示されたとき、これらが燃料計１３１に関連する情報であることを示すためのものである。すなわち、指示マーク１３３ａは、警告マーク１３３ｂや残燃料１３３ｃ、走行可能距離１３３ｄの表示に同期して表示される。なお、図示しないが、水温に関する異常があるときには、指示マーク１３３ａと同様の指示マークが水温計１３２の下に表示されると共に、警告マーク１３３ｂや残燃料１３３ｃ、走行可能距離１３３ｄが消えて、水温異常に関連するマークや数字、文字等に切り替わる。
【００２９】
累積走行距離１３３ｅは、周知のように、オド又はトリップに関する累積走行距離が７セグメントの表示エレメントによって表現されたものである。累積走行距離１３３ｅは、走行中は常時表示されており、その距離を示す数値だけが変化していく。
【００３０】
図３に示すように、情報表示部１３は、液晶セル１３３ｘと、液晶セル１３３ｘを挟む２枚の偏光板１３３ｙ及び１３３ｚと、偏光板１３３ｚの背面に配置された、バックライト用光源１３５からの光を受けて発光するバックライト板１３４と、からなる液晶表示装置を含んで構成される。そして、液晶セル１３３ｘ（正確には、液晶セル１３３ｘの電極）に電圧が印加されると、液晶の配列が変化し上述のようなマーク等の表示が正面側（図中、上側）から視認可能になる。なお、このような液晶表示装置の基本構成及び作用は周知である。
【００３１】
更に、本発明の特徴として、２枚の偏光板１３３ｙ及び１３３ｚ、並びに、バックライト板１３４に、正面側からバックライト板１３４の背面側に配置した対象物としての燃料計１３１及び水温計１３２が視認可能になるように、同等の形状の孔１３３ｙ１、１３３ｙ２、１３４ａが設けられている。孔１３３ｙ１、１３３ｙ２、１３４ａは、例えば、燃料計１３１及び水温計１３２の外形に合わせて円形状になっている。但し、各孔は、燃料計及び水温計の指示値が視認可能であれば他の孔形状にしてもよい。なお、孔１３３ｙ１、１３３ｙ２、１３４ａに対応する液晶セル１３３ｘの部位には孔を設ける必要ないが、この部分は液晶セル１３３ｘに電圧を印加しても何も表示されないように、すなわち、常に透明になるようにしておく。なお、バックライト板１３４及びその光源１３５は、他から同等の光を得られるのであれば、場合によってはなくてもよい。
【００３２】
このような構成によって、ドライバの視点である正面側からは、上記孔１３３ｙ１、１３３ｙ２、１３４ａを介して、燃料計１３１及び水温計１３２が液晶表示装置に一体化されたように視認される。燃料計１３１による指示値が残り２０Ｌに到達すると、例えば、図２に示すように、指示マーク１３３ａ、警告マーク１３３ｂ、残燃料１３３ｃ及び走行可能距離１３３ｄを示す情報も液晶表示される。なお、累積走行距離１３３ｅは走行中は常時表示されている。すなわち、情報表示部１３は、あたかも、燃料計１３１及び水温計１３２等のアナログゲージが組み込まれた液晶表示装置で構成されているように見える。
【００３３】
以上説明したように、本発明の実施形態によれば、偏光板に孔を設けただけの簡単な構成でありながら、背面にある燃料計や水温計等のアナログゲージを液晶表示装置に一体化したように視認させることができる。また、アナログゲージの部分にレイヤ感が生まれてデザイン的にも斬新になる。いうまでもなく、ドライバは、一箇所に目をやるだけで、例えば、燃料残量及びこれに関連する警告を確認することができる。
【００３４】
なお、本発明の液晶表示装置は、車両用表示装置以外に適用することも可能である。また、例示した燃料計や水温計に替えて、他のゲージを配置するようにしてもよいし、場合によってはゲージ以外の対象物であってもよい。これらにともなって、偏光板及びバックライト板に設けられる孔の形状や数も適宜変更してもよい。更に、孔は、完全に閉じた形状でなくてもよく、偏光板の一部を切り欠いたような形状であってもよい。
【図面の簡単な説明】
【００３５】
【図１】本発明の一実施形態に係る車両用表示装置の外観を示す正面図である。
【図２】図１の情報表示部を示す正面図である。
【図３】図２におけるＸＸ線断面図である。
【図４】この種の従来の車両用表示装置の外観を示す正面図である。
【符号の説明】
【００３６】
１  車両用表示装置
１３  情報表示部
１３１  燃料計（アナログゲージ、対象物）
１３２  水温計（アナログゲージ、対象物）
１３３  警告情報
１３３ｘ  液晶セル
１３３ｙ、１３３ｚ  偏光板
１３４  バックライト板
１３５  光源
１３３ｙ１、１３３ｙ２、１３３ｚ１、１３３ｚ２、１３４ａ、１３４ｂ  孔
【図１】
2007025026.tif 000003
【図２】
2007025026.tif 000004
【図３】
2007025026.tif 000005
【図４】
2007025026.tif 000006